(57)【要約】      （修正有）【課題】パウチの交換が容易であり、様々な形状や大きさのパウチにも対応でき、外観を損ねるおそれがないオストメイト用下着を提供する。【解決手段】右前身頃と左前身頃２のいずれか一方もしくは両方に、パウチ８取り付け時に開口部を形成する切り込みを備え、切り込みの下方にはパウチの下部を挿入可能なパウチ支持部５を備え、切り込みの上方には切り込みから少なくともパウチ支持部の上辺までを被覆可能な垂布７が着脱自在に設けられる。【選択図】図２
0003190932.tif 000002
【実用新案登録請求の範囲】
【請求項１】
右前身頃と左前身頃のいずれか一方もしくは両方に、パウチ取り付け時に開口部を形成する切り込みを備え、該切り込みの下方にはパウチの下部を挿入可能なパウチ支持部を備え、切り込みの上方には切り込みから少なくともパウチ支持部の上辺までを被覆可能な垂布が着脱自在に設けられたオストメイト用下着。
【請求項２】
パウチ支持部は横長の略矩形の袋状に形成され、ストーマにパウチを装着したときにパウチの下部が挿入され、パウチの下端部をその下辺により下方から支持する位置に設けられていることを特徴とする請求項１に記載のオストメイト用下着。
【請求項３】
パウチ支持部の深さは４０〜１５０ｍｍに形成されていることを特徴とする請求項１または請求項２のいずれかに記載のオストメイト用下着。
【考案の詳細な説明】
【技術分野】
【０００１】
本考案は、ストーマすなわち人工肛門に装着されるパウチや、人工膀胱などを使用しているオストメイトが使用するオストメイト用下着に関する。
【背景技術】
【０００２】
従来のオストメイト用下着として、特許文献１の図８に示されるような、パンツの左右前身頃にそれぞれポケットが設けられ、ポケット上方に横長開口が仮縫い状態で閉じられたものが知られている。このものは、ストーマ装具を保持する際、ストーマの位置に応じて左右いずれかの開口の仮縫いを切断し、ストーマ装具の、ストーマに接着した皮膚接着部から一体に延びるパウチを、開口を経てパンツ外へ引き出してポケット内へ収納するというものである。
【０００３】
このように、前身頃に設けたポケットにパウチ全体を収納するタイプの場合、尿や便を処理するためにポケットからパウチを取り出す作業が煩雑であった。また、ポケットからの取り出し作業の際に、パウチの上下が逆になるなどして、パウチ内の排泄物がストーマ側に逆流するおそれがあり、好ましくなかった。
【０００４】
そこで、特許文献１に開示されたオストメイト用下着では、パンツの前身頃とパウチの外形と略等しい形状のカバー体により袋部を形成し、その内部にパウチを収納している。
【０００５】
このものは、袋部の一部が前身頃より離脱可能に形成されており、パウチの交換等の作業が容易となっているが、袋部の外形がパウチの外形と略等しいため、パウチの形状が変わると対応できなかった。そのため、異なる形状のパウチにも対応可能なように袋部を予めパウチ形状よりも大きめに形成することが考えられるが、その場合、袋部内でパウチが支持されずに吊り下げられた状態となり、排泄物の重さで不安定になるなどの問題があった。
【先行技術文献】
【特許文献】
【０００６】
【特許文献１】特開２００４−４３７
【考案の概要】
【考案が解決しようとする課題】
【０００７】
従って、本考案は、パウチの交換が容易であり、様々な形状や大きさのパウチを安定的に支持でき、外観を損ねるおそれがないオストメイト用下着を提供することをその課題とするものである。
【課題を解決するための手段】
【０００８】
本考案は、上記課題を解決するものであり、右前身頃と左前身頃のいずれか一方もしくは両方に、パウチ取り付け時に開口部を形成する切り込みを備え、該切り込みの下方にはパウチの下部を挿入可能なパウチ支持部を備え、切り込みの上方には切り込みから少なくともパウチ支持部の上端までを被覆可能な垂布が着脱自在に設けられたオストメイト用下着である。  
【考案の効果】
【０００９】
本考案に係るオストメイト用下着は、パウチの下部を挿入して支持するパウチ支持部により安定的にパウチを支持することができ、更に、パウチ支持部に収納された下部を残してその他の部分は外部に露出することになるため、ストーマへのパウチの着脱がより簡易に行うことができる。
【００１０】
また、本考案に係るオストメイト用下着は、着脱自在に設けられた垂布によりパウチを被覆するため、外観を損なうおそれがない。
【図面の簡単な説明】
【００１１】
【図１】本考案に係るオストメイト用下着の正面図。
【図２】本考案に係るオストメイト用下着の使用状態を示す図。
【考案を実施するための形態】
【００１２】
以下、本考案のオストメイト用下着の一実施態様を、図面に基づいて具体的に説明する。なお、本考案はこれら実施態様に何ら制約されるものではない。
【００１３】
図１は本考案に係るオストメイト用下着の正面図である。図１に示すように、本考案のオストメイト用下着は、右前身頃１および左前身頃２において、身体のストーマの位置に応じた前身頃部分に切り込み部４が形成されている。切り込み部４は略水平に形成されており、その上下縁がそれぞれ縁布３により包被され補強されている。切り込み部４は、パウチ取り付け前の状態において、上下の縁布３の端部が当接するよう仮縫いされている。そして、パウチを装着する際は、かかる仮縫いの糸を切断し、切り込み部４を上下に開くことによりパウチを取付可能な開口部を形成する。なお、本実施多様では、切り込み部４は仮縫いで閉鎖されているが、切り込み部４を閉鎖する方法はこれに限らず、ボタンやファスナー、面ファスナー等により、切り込み部４を開閉自在に設けても良い。
【００１４】
切り込み部４の左右上方には、1箇所の切り込み部４につき２つのボタン６が取り付けられている。また、切り込み部４の下方には、その上辺５１が表身頃より遊離するとともに、その左右側辺５２と下辺５３において表身頃に縫着されて袋状に形成されたパウチ支持部５が設けられている。パウチ支持部５は横長の略矩形に形成されており、図２に示すように、ストーマにパウチを装着したときにパウチ８の下部のみが挿入され、パウチ８の下端部をその下辺５３により下方から支持する位置に設けられている。なお、本実施態様では、パウチ支持部５はパウチ８の下端部全体を支持可能に形成されているが、これをパウチ８の下端部の一部のみ支持可能としても良く、例えば、パウチの下部の隅を挿入可能な略三角形のパウチ支持部を２箇所に設けても良い。かかるパウチ支持部は、略二等辺三角形に形成され、斜辺が表身頃より遊離するとともに、二等辺が表身頃に縫着され、斜辺部分側からパウチの下隅部を装入する。この場合、パウチの下部の両隅部分のみパウチ支持部に支持されるが、それらの間の下部は支持されることなく露出することになる。
【００１５】
パウチ支持部５の幅は、パウチ８の横幅の最大寸法と略同一もしくはそれよりも大きく形成されており、深さ（高さ方向の距離）は、パウチ８の下部を収納可能な深さに形成されている。かかるパウチ支持部５の深さは４０〜１５０ｍｍの深さに形成することがより好ましく、深さをこの範囲に設定することにより、パウチの下部を残してその他の部分が支持部の外に露出するため、パウチの支持部からの取り外しがより簡易になる。また、パウチ支持部５は上記のとおりパウチの下部を収納し、その他の部分は露出するため、形状や寸法の異なるパウチについても安定的に支持することができる。
【００１６】
図１に示すように、切り込み部４（開口部４１）とパウチ支持部５およびボタン６は左右の前身頃１、２に一組ずつ左右対称に設けても良く、その場合、パウチを装着して使用する側の切り込み部４（開口部４１）とパウチ支持部５は、ボタン６により取り付けられた垂布７により被覆することができる。垂布７はボタン６により前身頃１、２に着脱可能に形成されているが、取付手段はボタンに限定されず、例えば、ファスナー、面ファスナーなどにより取り付けてもよい。
【００１７】
垂布７は少なくとも開口部４からパウチ支持部５の上辺にかけて被覆するようにボタン６より前身頃から垂下しており、図２のようにパウチ８を装着したときに、パウチ８は完全に垂布７により隠れる形となる。これにより、パウチ８は外部に露出することがなくなるため、外見が損なわれることがない。垂布７は、少なくともパウチ８の外部に露出している部分を被覆できれば良いが、図１のように、パウチ支持部５全体を被覆できる大きさに形成されていることがより好ましい。なお、本実施態様では、垂布７はその上部２箇所で前身頃に取り付けられており、下部より上方へ捲れ上がるようになっているが、垂布６の下部においても取付部を設けることにより、上方への捲れを防ぐことができる。
【００１８】
垂布７の材質は特に限定されないが、垂布７自体がより目立たないよう、前身頃と同じ生地により形成することが好ましい。
【符号の説明】
【００１９】
１…… 右前身頃
２…… 左前身頃
３…… 縁布部
４…… 切り込み部
５…… パウチ支持部
６…… ボタン
７…… カバー部
８…… パウチ
４１…… 開口部
【図１】
0003190932.tif 000003
【図２】
0003190932.tif 000004